(57)【特許請求の範囲】
【請求項１】
少なくとも第１の筐体と第２の筐体とを有し、前記第１の筐体に対し、前記第２の筐体が閉じられる閉状態を有する携帯電話機であって、
前記携帯電話機と前記携帯電話機の対向機器との間で近距離無線通信を介して所定のデータを送受信する際に、前記近距離無線通信を介して所定のデータを前記対向機器から受信する無線受信手段と、
前記閉状態において筐体の外部に露出して設けられた複数の操作キーのうち所定の操作キーが操作されたとき、前記無線受信手段を起動する受信モード起動手段とを備えたことを特徴とする携帯電話機。
【請求項２】
前記携帯電話機と前記携帯電話機の対向機器との間で近距離無線通信を介して所定のデータを送受信する際に、前記近距離無線通信を介して所定のデータを前記対向機器に送信する無線送信手段と、
前記閉状態において筐体の外部に露出して設けられた複数の操作キーのうち所定の操作キーが操作されたとき、前記無線送信手段を起動する送信モード起動手段とをさらに備えたことを特徴とする請求項１記載の携帯電話機。
【請求項３】
前記無線送信手段と前記無線受信手段とは、赤外線通信およびブルートゥース通信の少なくとも一方により構成されることを特徴とする請求項２記載の携帯電話機。
【請求項４】
前記携帯電話機は、前記送信モード起動手段により起動される前記無線送信手段の送信処理に伴う送信モードの状態、または前記受信モード起動手段により起動される前記無線受信手段の受信処理に伴う受信モードの状態を表示する表示手段をさらに備えたことを特徴とする請求項１または２記載の携帯電話機。
【請求項５】
前記携帯電話機は、前記送信モード起動手段により起動される前記無線送信手段の送信処理に伴う送信モードの状態、または前記受信モード起動手段により起動される前記無線受信手段の受信処理に伴う受信モードの状態をバイブレータにより通知する通知手段をさらに備えたことを特徴とする請求項１または２記載の携帯電話機。
【発明の詳細な説明】
【技術分野】
【０００１】
本発明は、近距離無線通信機能を備えた携帯電話機に係り、特に近距離無線通信機能を利用する際の操作性および省電力化に優れた携帯電話機に関する。
【背景技術】
【０００２】
近年、例えば携帯電話機などの電子機器に設けられる近距離無線通信技術として、赤外線通信機能やブルートゥース（Ｂｌｕｅｔｏｏｔｈ（登録商標））通信機能などが知られている。これら近距離無線通信機能は、携帯電話機間もしくは携帯電話機対無線通信機能を備えた対応機器間のデータの授受などに用いられる。
【０００３】
携帯電話機間においては、初対面時などにおいて携帯電話機に記憶された自身のプロフィール情報（ユーザ自身の氏名、電話番号、メールアドレスなどの情報）を交換する場合などにこの近距離無線通信機能が利用される頻度が多い。また携帯電話機に備えられたＣＣＤカメラなどで撮影された画像など各種データを送受信するためにも用いられる。
【０００４】
従来、このような近距離無線通信機能の一つである赤外線通信機能を用いて、自己の携帯電話機に登録されている電話帳情報を他の携帯電話機に対し転送する技術が提案されている（例えば、特許文献１参照）。
【特許文献１】特開２００２−２８１１４６号公報
【発明の開示】
【発明が解決しようとする課題】
【０００５】
例えば特許文献１に示す従来の携帯電話機を用いた赤外線通信機能やブルートゥース通信機能などの近距離無線通信機能は、気軽にプロフィール情報の交換などを行うことができる点で使用頻度が高いが、その一方で操作回数およびメニュー階層が多いことから煩雑な操作が必要であった。このため、ユーザ層のうち、特にエルダー層にとっては敬遠されがちな機能であるという問題点があった。
【０００６】
また、データの送受信中においては、常にメインディスプレイに送受信状態が表示されている。例えば、メインディスプレイが液晶ディスプレイである場合、液晶を発光させるのに用いられるバックライトが点灯し続けていた。このバックライト点灯の消費電力は、携帯電話機全体の消費電力に対し占めるウエイトは少なくないため、操作頻度によっては携帯電話機の電池持ちが悪くなるという問題点もあった。
【０００７】
本発明はこのような事情を考慮してなされたもので、近距離無線通信を用いたデータの送受信をする際の操作性を向上させるとともに、このデータの送受信に伴う消費電力を抑制することができる携帯電話機を提供することを目的とする。
【課題を解決するための手段】
【０００８】
本発明に係る携帯電話機は、上述した課題を解決するために、少なくとも第１の筐体と第２の筐体とを有し、前記第１の筐体に対し、前記第２の筐体が閉じられる閉状態を有する携帯電話機であって、前記携帯電話機と前記携帯電話機の対向機器との間で近距離無線通信を介して所定のデータを送受信する際に、前記近距離無線通信を介して所定のデータを前記対向機器に送信する無線送信手段と、前記閉状態において筐体の外部に露出して設けられた複数の操作キーのうち所定の操作キーが操作されたとき、前記無線送信手段を起動する送信モード起動手段とを備えたことを特徴とする。
【０００９】
本発明に係る携帯電話機は、上述した課題を解決するために、少なくとも第１の筐体と第２の筐体とを有し、前記第１の筐体に対し、前記第２の筐体が閉じられる閉状態を有する携帯電話機であって、前記携帯電話機と前記携帯電話機の対向機器との間で近距離無線通信を介して所定のデータを送受信する際に、前記近距離無線通信を介して所定のデータを前記対向機器から受信する無線受信手段と、前記閉状態において筐体の外部に露出して設けられた複数の操作キーのうち所定の操作キーが操作されたとき、前記無線受信手段を起動する受信モード起動手段とを備えたことを特徴とする。
【発明の効果】
【００１０】
本発明に係る携帯電話機は、近距離無線通信を用いたデータの送受信をする際の操作性を向上させるとともに、このデータの送受信に伴う消費電力を抑制することができる。
【発明を実施するための最良の形態】
【００１１】
本発明に係る携帯電話機の実施形態を添付図面に基づいて説明する。
【００１２】
図１は、本発明に係る携帯電話機の一例である折りたたみ式の携帯電話機１の外観の構成を表している。なお、図１（Ａ）は、携帯電話機１を約１８０度に開いた開状態のときの正面から見た外観の構成を表しており、図１（Ｂ）は、携帯電話機１を開状態としたときの側面から見た外観の構成を表している。
【００１３】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１４】
第１の筐体１２には、その表面に「０」乃至「９」の数字キー、発呼キー、リダイヤルキー、終話・電源キー、クリアキー、およびメニューキーなどの操作キー１４が設けられており、操作キー１４を用いて各種指示を入力することができる。
【００１５】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１６】
また、確定キーを押圧することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１７】
さらに、第１の筐体１２には、十字キーと確定キーの右隣にメニューキーが設けられており、このメニューキーが第１の筐体１２の内部方向に押圧されると、メニュー選択画面を起動させることができる。
【００１８】
第１の筐体１２には、携帯電話機１の操作を行うサイドキー１６ａ、１６ｂが設けられている。サイドキー１６ａ、１６ｂは、携帯電話機１が開状態および閉状態のときに第１の筐体１２の内部方向に押圧されることによって、それぞれ処理が割り当てられている。サイドキー１６ａ、１６ｂに割り当てられた詳しい処理については後述する。
【００１９】
また、第１の筐体１２には、誤操作防止キー２３が設けられている。この誤操作防止キー２３は、携帯電話機１が閉状態であって、例えば鞄やポケットなどに収納されている場合、意図しない操作により処理が実行されることを防止するために設けられる。本実施形態においては、例えばサイドキー１６ａ、１６ｂの意図しない操作により近距離無線送受信手段が起動することを防止する誤操作防止手段として設けられる。
【００２０】
第１の筐体１２には、操作キー１４の下部にマイクロフォン１５が設けられており、マイクロフォン１５によって通話時のユーザの音声を集音する。
【００２１】
なお、第１の筐体１２は、背面側に図示しないバッテリパックが挿着されており、終話・電源キーがオン状態になると、バッテリパックから各回路部に対して電力が供給されて動作可能な状態に起動する。
【００２２】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Ｃｈａｒｇｅ  Ｃｏｕｐｌｅｄ  Ｄｅｖｉｃｅ）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。なお、メインディスプレイ１７は、例えば液晶ディスプレイにより構成されるディスプレイである。
【００２３】
また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。
【００２４】
第１の筐体１２と第２の筐体１３の内部の所定の位置には、携帯電話機１の開閉状態を検知するための磁気センサ１９ａ、１９ｂ、１９ｃ、および１９ｄが設けられる。
【００２５】
また、第２の筐体１３の側部には、赤外線通信部４７が設けられる。赤外線通信部４７は、携帯電話機などの他の赤外線通信機能を備えた機器と赤外線を介してデータの送受信を行うために設けられ、データの送受信時においては赤外線通信部４７を対向機器の赤外線通信部に向けて使用される。
【００２６】
図２は、本発明に係る携帯電話機の一例である折りたたみ式携帯電話機１の他の外観の構成を表している。図２の携帯電話機１は、図１の携帯電話機１の状態から矢印Ｘ方向に回動させた閉状態であり、この状態を第１の筐体１２と第２の筐体１３とがほぼ重なり合う状態とする。なお、図２（Ａ）は、携帯電話機１が閉状態のときの正面から見た外観の構成を表しており、図２（Ｂ）は、携帯電話機１が閉状態のときの側面から見た外観の構成を表している。
【００２７】
第２の筐体１３の上部には、ＣＣＤカメラ２０が設けられており、これにより、所望の撮影対象を撮像することができる。ＣＣＤカメラ２０の下部には、例えば液晶ディスプレイにより構成されるサブディスプレイ２１が設けられており、現在のアンテナの感度のレベルを示すアンテナピクト、携帯電話機１の現在の電池残量を示す電池ピクト、現在の時刻などが表示される。また、本実施形態においては送信モードおよび受信モードの状態の表示を行う表示手段として機能する。
【００２８】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２９】
図３は、本実施形態における携帯電話機１の内部の構成を表している。
【００３０】
図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００３１】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００３２】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００３３】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００３４】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００３５】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３６】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３７】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３８】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３９】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４９が設けられている。
【００４０】
携帯電話機１には、近距離無線送信手段および近距離無線受信手段として赤外線通信部４７およびブルートゥース通信部４８が設けられる。赤外線通信部４７は、例えばＩｒＤＡ（Ｉｎｆｒａｒｅｄ  Ｄａｔｅ  Ａｓｓｏｃｉａｔｉｏｎ）方式を用いた近距離無線通信手段であり、おおむね０．２〜１ｍ程度の近距離に位置する携帯電話機などの対向機器と、携帯電話機１の記憶部４２に記憶された自己のプロフィール情報や画像データなどの各種データの送受信を行う。また、送信されるデータは、記憶部４２に記憶されたデータのみならず、メモリカード４６に記憶されたデータであってもよい。
【００４１】
ブルートゥース通信部４８は、ブルートゥース（Ｂｌｕｅｔｏｏｔｈ）といわれる無線通信方式による近距離無線通信手段である。このブルートゥース通信部４８は、他のブルートゥースを搭載した携帯電話機などと簡易に接続可能であり、例えば１０ｍ前後の近距離間において赤外線通信部４７と同様にデータや音声の送受信を行う。
【００４２】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００４３】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００４４】
ここで、携帯電話機１の第１の筐体１２の側面に設けられた送信モード起動手段および受信モード起動手段としてのサードキー１６ａ、１６ｂの機能について説明する。
【００４５】
本実施形態においては、携帯電話機１が閉状態でサイドキー１６ａ、１６ｂが押圧された場合、制御部４１の制御に基づいて赤外線通信部４７およびブルートゥース通信部４８による送信モードおよび受信モードの起動処理の実行が割り当てられている。
【００４６】
本実施形態における赤外線通信部４７およびブルートゥース通信部４８により起動される送信モードとは、サイドキー１６ａ、１６ｂの押圧により、対向機器に対しあらかじめ設定された所定のデータを送信可能な状態をいう。また赤外線通信部４７およびブルートゥース通信部４８により起動される受信モードとは、サイドキー１６ａ、１６ｂの押圧により、対向機器から送信されるデータを受信可能な状態をいう。
【００４７】
なお、送信モード起動時に対向機器に送信される所定のデータは、ユーザにより任意に設定することができるが、本実施形態においては、送信頻度が高いと考えられる自己のプロフィール情報（ユーザ自身の氏名、電話番号、メールアドレスなどの情報）を所定のデータに適用して説明する。
【００４８】
本実施形態における送信モードは、一例としてサイドキー１６ａが短押しされた場合に赤外線通信部４７による送信モードが起動し、サイドキー１６ａが長押しされた場合にはブルートゥース通信機能４８による送信モードが起動するように構成される。また同様に、一例としてサイドキー１６ｂが短押しされた場合に赤外線通信部４７による受信モードが起動し、サイドキー１６ｂが長押しされた場合にはブルートゥース通信機能４８による受信モードが起動し、さらにサイドキー１６ａおよび１６ｂが同時に押圧された場合には赤外線通信部４７およびブルートゥース通信部４８の両者による受信モードが起動するように構成される。
【００４９】
なお、サイドキー１６ａ、１６ｂの押圧の長さの区別によって起動する各送受信モードを割り当てるのは一例であって、例えばユーザによりサイドキー１６ａ、１６ｂの割り当てを随時変更が可能なように構成してもよいし、サイドキー１６ａ、１６ｂの押圧後に選択できるように構成してもよい。
【００５０】
ここで、従来の赤外線通信機能およびブルートゥース通信機能を用いたデータの送受信処理について説明する。
【００５１】
図４は、携帯電話機１が赤外線通信機能を備えた携帯電話機などの対向機器に対してデータの送信を行う処理の従来例を、ユーザが行う操作の一例と共に説明するフローチャートである。送信するデータは、携帯電話機１に記憶されているプロフィール情報（ユーザ自身の氏名、電話番号、メールアドレスなどの情報）とする。このプロフィール情報は、例えば初対面時に相互に送受信が行われるなど、近距離無線通信機能を用いて送受信される頻度が高いといえる。このプロフィール送信処理は、携帯電話機１が図２に示すような閉状態とし、通常待ち受け状態（スリープ状態）からスタートする。
【００５２】
ステップＳ１において、ユーザは閉状態の携帯電話機１を開き、図１に示すような約１８０度に開いた開状態とする（操作１）。これにより携帯電話機１のメインディスプレイ１７のバックライトが点灯し、現在時刻などが表示される。ステップＳ２において、ユーザは操作キー１４におけるメニューキーを押圧し、メインディスプレイ１７にメニュー選択画面を表示させる（操作２）。操作キー１４におけるメニューキーの押圧により入力を受け付けた制御部４１は、メインディスプレイ１７にメニュー選択画面であるメニュー一覧を表示する。ステップＳ３において、ユーザはメニュー選択画面に表示されたメニュー一覧の中から、操作キー１４における十字キーおよび確定キーを押圧することによりプロフィール情報を選択する（操作３）。具体的には、ユーザは十字キーを上下左右に操作することでプロフィール情報にカーソルを合わせ、その後確定キーを押圧する。十字キーおよび確定キーの押圧により入力を受け付けた制御部４１は、メインディスプレイ１７に携帯電話機１の記憶部４２に記憶されたユーザのプロフィール情報を表示する。
【００５３】
ステップＳ４において、ユーザはサブメニュー選択画面の起動が割り当てられた操作キー１４におけるサブメニューキーを押圧することによりサブメニュー選択画面を表示させる（操作４）。サブメニューキーの押圧により入力を受け付けた制御部４１は、メインディスプレイ１７にサブメニュー選択画面であるサブメニュー一覧を表示する。ステップＳ５において、ユーザはサブメニュー選択画面に表示されたサブメニュー一覧の中から、操作キー１４における十字キーおよび確定キーを押圧することにより赤外線送信モードを選択する（操作５）。具体的には、ユーザは十字キーを上下左右に操作することで赤外線送信モードにカーソルを合わせ、その後確定キーを押圧する。十字キーおよび確定キーの押圧により入力を受け付けた制御部４１は、メインディスプレイ１７に赤外線送信モード画面を表示し、赤外線通信部４７は送信モードを起動する。
【００５４】
ステップＳ６において、赤外線通信部４７はプロフィール情報の送信先としての接続先である携帯電話機などの対向機器の確認を行う。接続先である対向機器が確認された場合、ステップＳ７で赤外線通信部４７は、対向機器に対しプロフィール情報の送信を開始する。プロフィール情報の送信完了後、一連の処理は終了しメインディスプレイ１７は通常待ち受け画面に移行する。
【００５５】
一方、接続先確認ステップＳ６において赤外線通信部４７がプロフィール情報の接続先である対向機器の確認が行えずタイムアウトした場合であって、ステップＳ８において制御部４１がリトライを行う指示の入力を受け付けた場合、接続先確認ステップＳ６に戻り、ステップＳ６以降の処理が再度行われる。これに対し、制御部４１がリトライを行わない指示の入力を受け付けた場合には、一連の処理は終了し通常待ち受け画面に移行する。なお、リトライ判定ステップＳ８において実行されるリトライを行うか否かの指示の入力は、例えば制御部４１がメインディスプレイ１７に表示したリトライの確認画面においてユーザが所定の操作キー１４を操作することにより行われる。
【００５６】
次に、従来の赤外線通信機能およびブルートゥース通信機能を用いたデータの受信処理について説明する。
【００５７】
図５は、携帯電話機１がブルートゥース通信機能を備えた携帯電話機などの対向機器から送信されるデータの受信を行う処理の従来例を、ユーザが行う操作の一例と共に説明するフローチャートである。図４で説明した送信処理と同様に、受信するデータは例えばプロフィール情報とする。また、このデータ送信処理は携帯電話機１が図２に示すような閉状態とし、通常待ち受け状態（スリープ状態）からスタートする。
【００５８】
ステップＳ１１において、ユーザは閉状態の携帯電話機１を開き、図１に示すような約１８０度に開いた開状態とする（操作１）。これにより携帯電話機１のメインディスプレイ１７のバックライトが点灯し、現在時刻などが表示される。ステップＳ１２において、ユーザは操作キー１４におけるメニューキーを押圧し、メニュー選択画面を起動させる（操作２）。メニューキーの押圧により入力部からの入力を受け付けた制御部４１は、メインディスプレイ１７にメニュー選択画面であるメニュー一覧を表示する。ステップＳ１３において、ユーザはメニュー選択画面に表示されたメニュー一覧の中から、操作キー１４における十字キーおよび確定キーを押圧することによりブルートゥースメニューを選択する（操作３）。具体的には、ユーザは十字キーを上下左右に操作することでブルートゥースメニューにカーソルを合わせ、その後確定キーを押圧する。十字キーおよび確定キーの押圧により入力を受け付けた制御部４１は、メインディスプレイ１７にブルートゥースメニュー選択画面を表示する。
【００５９】
ステップＳ１４において、ユーザはブルートゥースメニュー選択画面に表示されたブルートゥースメニュー一覧の中から、操作キー１４における十字キーおよび確定キーを押圧することによりブルートゥース受信モードを選択する（操作４）。具体的には、ユーザは十字キーを上下左右に操作することでブルートゥース受信モードにカーソルを合わせ、その後確定キーを押圧する。十字キーおよび確定キーの押圧により入力を受け付けた制御部４１は、メインディスプレイ１７にブルートゥース受信モード画面を表示し、ブルートゥース通信部４８はブルートゥース受信モードを起動する。
【００６０】
ステップＳ１５において、ブルートゥース通信部４８はプロフィール情報の送信元である他の携帯電話機などの機器情報の受信を行う。対向機器情報が受信され接続が確立された場合、ステップＳ１６において、ブルートゥース通信部４８は携帯電話機などの対向機器から送信されたプロフィール情報の受信を開始する。プロフィール情報の受信完了後、ステップＳ１７において、制御部４１はブルートゥース受信モードを継続するか否かの指示の入力を受け付ける。制御部４１が受信モードを終了する指示の入力を受け付けた場合、一連の処理は終了しメインディスプレイ１７は通常待ち受け画面に移行する。一方、制御部４１が受信モードを継続する指示の入力を受け付けた場合、機器情報受信ステップＳ１５に戻り、ステップＳ１５以降の処理が再度行われる。なお、ブルートゥース受信モードの継続の指示の入力は、例えば制御部４１がメインディスプレイ１７に表示したブルートゥース受信モードの継続の確認画面においてユーザが所定の操作キー１４を操作することにより行われる。
【００６１】
一方、機器情報受信ステップＳ１５においてプロフィール情報の送信元である携帯電話機などの対向機器情報の受信が行われず接続が確立されずにタイムアウトした場合であって、ステップＳ１８において制御部４１がリトライを行う指示の入力を受け付けた場合、機器情報受信ステップＳ１５に戻り、ステップＳ１５以降の処理が再度行われる。これに対し、リトライ判定ステップＳ１８において制御部４１がリトライを行わない指示の入力を受け付けた場合には、一連の処理は終了し通常待ち受け画面に移行する。なお、リトライ判定ステップＳ１８において実行されるリトライを行うか否かの指示の入力は、例えば制御部４１がメインディスプレイ１７に表示したリトライの確認画面においてユーザが所定の操作キー１４を操作することにより行われる。
【００６２】
図６は、赤外線通信機能を備えた携帯電話機などの対向機器からデータの受信を行う処理の従来例を、ユーザが行う操作の一例と共に説明するフローチャートである。赤外線通信機能による受信処理におけるステップＳ２１からステップＳ２４は、図５で説明したブルートゥース通信機能による受信処理におけるステップＳ１１からステップＳ１４とほぼ同様であるため、説明は省略する。
【００６３】
ステップＳ２５において、赤外線通信部４７はプロフィール情報などのデータの送信元としての接続先である携帯電話機などの対向機器の確認を行う。対向機器が確認された場合、ステップＳ２６において、赤外線通信部４７は携帯電話機などの対向機器からの送信されるプロフィール情報などのデータの受信を開始する。データの受信完了後、一連の処理は終了し通常待ち受け画面に移行する。
【００６４】
一方、ステップＳ２５において赤外線通信部４７がプロフィール情報などのデータの送信元としての接続先である対向機器の確認が行えずタイムアウトした場合であって、ステップＳ２７において制御部４１がリトライを行う指示の入力を受け付けた場合、接続先確認ステップであるＳ２５に戻り、ステップＳ２５以降の処理が再度行われる。これに対し、制御部４１がリトライを行わない指示の入力を受け付けた場合には、一連の処理は終了し通常待ち受け画面に移行する。
【００６５】
ところで、図４で説明したように、プロフィール情報を携帯電話機などの対向機器に送信する場合において、赤外線通信部４７による赤外線送信モードを起動するためにユーザが行わなければいけない操作は、ステップＳ１〜Ｓ５に該当する操作１〜操作５の５回の操作が必要となる。また、図５および図６で説明したように、対向機器から送信されたプロフィール情報を受信する場合において、赤外線通信部４７およびブルートゥース通信部４８による受信モードを起動するためにユーザが行わなければいけない操作は、ステップＳ１１〜Ｓ１４およびステップＳ２１〜Ｓ２４に該当する操作１〜操作４の４回の操作が必要となる。
【００６６】
このため、たとえ使用頻度の高いプロフィール情報の各送受信モードを起動させる場合であっても、そもそもその起動をさせるまでに煩雑な操作が必要となり、ユーザストレスの原因となっていた。また、携帯電話機１が開状態で一連の送受信処理が終了するまでの間、消費電力の大きいメインディスプレイ１７のバックライトは点灯した状態であるため、携帯電話機１の消費電力の増大の原因につながり、その結果携帯電話機１の電池持ちが悪くなるという問題点があった。
【００６７】
そこで、携帯電話機１を図１のように開状態とすることなく、図２に示すような閉状態であっても、赤外線通信部４７およびブルートゥース通信部４８により実現される送受信モードを起動させることで、操作性の向上および省電力化を実現することが可能となる。以下、本実施形態における携帯電話機１によるデータ送受信処理について説明する。
【００６８】
図７は、本実施形態における携帯電話機１を用いて、赤外線通信機能を備えた携帯電話機などの対向機器に対してデータの送信を行う処理を、ユーザが行う操作の一例と共に説明するフローチャートである。送信するデータは、一例として携帯電話機１の記憶部４２に記憶されているプロフィール情報として説明する。なお、データ送信処理における携帯電話機１は、全て図２に示すような閉状態で実行されるものとし、このデータ送信処理は通常待ち受け状態（スリープ状態）からスタートする。
【００６９】
ステップＳ３１において、ユーザはサイドキー１６ａを押圧（短押し）し、赤外線送信モードを起動させる（操作１）。ユーザによるサイドキー１６ａの押圧により入力を受け付けた制御部４１は、ステップＳ３２において赤外線通信部４７を制御し、赤外線通信部４７は赤外線送信モードを起動する。このとき、制御部４１はサブディスプイレイ２１を制御し、赤外線送信モードの状態をサブディスプレイ２１に表示する。図８（Ａ）は、赤外線モード起動中を示すサブディスプレイ２１の表示例である。
【００７０】
ステップＳ３３において、赤外線通信部４７はプロフィール情報の送信先としての接続先である携帯電話機などの対向機器の確認を行う。接続先である対向機器が確認された場合、ステップＳ３４で赤外線通信部４７は、制御部４１の制御に従い、対向機器に対しプロフィール情報の送信を開始する。図８（Ｂ）は、プロフィール情報送信中のサブディスプレイ２１の表示例である。プロフィール情報の送信完了後、一連の処理は終了しサブディスプレイ２１は通常待ち受け画面に移行する。なお、図８（Ｃ）は、プロフィール情報の送信完了時におけるサブディスプレイ２１の表示例である。
【００７１】
一方、接続先確認ステップＳ３３において赤外線通信部４７がプロフィール情報の送信先である他の携帯電話機の確認が行えずタイムアウトした場合の処理は、図４で説明したステップＳ８以降の処理と同様であるため、詳しい説明は省略する。なお、ステップＳ３５において制御部４１は、図８（Ｄ）のようなタイムアウトの通知および接続先の確認を続けるか否か（リトライするか否か）をサブディスプレイ２１に表示することでユーザに通知する。この通知を受けたユーザは、リトライするか否かの指示の入力を行う。指示の入力は、例えば静電タッチパッド２２の巻戻しおよび早送りボタンによって図８（Ｄ）に示す「Ｙｅｓ」、「Ｎｏ」を選択可能なように構成することができる。また、サイドキー１６ａおよび１６ｂによって選択可能なように構成することもできる。
【００７２】
この携帯電話機１によれば、従来送信モードを起動するために必要であった５回の操作は、ステップＳ３１のサイドキーの押圧のみの１回の簡易な操作でよいため、送信モード起動の操作性を向上させることができる。このため、使用頻度が高い自己のプロフィールの送受信を行う場合においても簡易な操作で実行することができるため、ユーザストレスを軽減でき、またエルダー層にとっても煩雑な操作なく実行可能となる。
【００７３】
また、携帯電話機１を閉状態としたままでデータの送信が可能なため、メインディスプレイ１７を用いなくともサブディスプレイ２１のみで送信モード状態表示を行うことができる。この結果、消費電力の大きいメインディスプレイ１７のバックライトによる消費電力の増大を抑制することができ、携帯電話機１の省電力化を図ることができる。
【００７４】
なお、サブディスプレイ２１が表示手段として機能しバックライトが点灯するのは、図７で説明した送信モード起動ステップＳ３２における図８（Ａ）に示す送信モード起動中の状態を表示する場合、データ送信ステップＳ３４における図８（Ｂ）に示す送信中の状態を表示する場合、送信完了時における図８（Ｃ）に示す送信完了の状態を表示する場合、およびリトライ判定ステップＳ３５における図８（Ｄ）に示すタイムアウトを通知する場合である。よって、その他の場合は一定時間経過後にバックライトを消灯させる制御を制御部４１が行うことにより、携帯電話機１の開状態でのデータ送信時と比較し、省電力化を図ることが可能となる。
【００７５】
従って、本実施形態における携帯電話機１は操作性の向上および省電力化を実現し、近距離無線通信を用いてデータの送受信を行う際の利用性を向上させることができる。
【００７６】
なお、プロフィール情報の無線送信手段として赤外線通信のみを説明したが、ブルートゥース通信機能を用いても同様の操作回数で簡易にデータの送信を行うことができる。ブルートゥース送信モードの起動は、例えばサイドキー１６ａを長押しすることにより実行することができる。
【００７７】
次に、赤外線通信機能およびブルートゥース通信機能を用いたデータの受信処理について説明する。
【００７８】
図９は、本実施形態における携帯電話機１を用いて、赤外線通信機能を備えた携帯電話機などの対向機器から送信されるデータの受信処理を、ユーザが行う操作の一例と共に説明するフローチャートである。受信するデータは、一例として送信者のプロフィール情報として説明する。
【００７９】
データ受信処理における携帯電話機１は、全て図２に示すような閉状態で行われるものとし、このデータ受信処理は通常待ち受け状態（スリープ状態）からスタートする。なお、サブディスプレイ２１の表示についても、図２（Ａ）の状態である。
【００８０】
ステップＳ４１において、ユーザはサイドキー１６ｂを押圧（短押し）し、プロフィール情報の受信を行う赤外線受信モードを起動させる（操作１）。ステップＳ４２において、ユーザによるサイドキー１６ｂの押圧（短押し）により入力を受け付けた制御部４１は、赤外線通信部４７による赤外線受信モード起動処理を実行し、携帯電話機１は赤外線受信モードが起動中の状態となる。このとき、制御部４１はサブディスプイレイ２１を制御し、赤外線受信モードの状態をサブディスプレイ２１に表示する。図１０（Ａ）は、赤外線受信モード起動中を示すサブディスプレイ２１の表示例である。
【００８１】
ステップＳ４３において、赤外線通信部４７はプロフィール情報の送信元としての接続先である携帯電話機などの対向機器の確認を行う。接続先である対向機器が確認された場合、ステップＳ４４で赤外線通信部４７は、対向機器から送信されるプロフィール情報の受信を開始する。図１０（Ｂ）は、プロフィール情報受信中のサブディスプレイ２１の表示例である。プロフィール情報の受信完了後、一連の処理は終了しサブディスプレイ２１は通常待ち受け画面に移行する。なお、図１０（Ｃ）は、プロフィール情報の送信完了時におけるサブディスプレイ２１の表示例である。
【００８２】
一方、接続先確認ステップＳ４３において赤外線通信部４７がプロフィール情報の送信元である他の携帯電話機の確認が行えずタイムアウトした場合の処理であるリトライ判定処理ステップＳ４５以降の処理は、図７で説明したステップＳ３５以降の処理とほぼ同様であるため、詳しい説明は省略する。
【００８３】
なお、受信ステップＳ４４においてプロフィール情報が受信された場合であって、次回に携帯電話機１が開状態とされた場合、ユーザにプロフィール情報などのデータが受信されたことを通知する通知手段として、図１１に示す通知が制御部４１によってメインディスプレイ１７に表示される。
【００８４】
次に、ブルートゥース通信機能よるデータの受信処理について説明する。
【００８５】
図１２は、本実施形態における携帯電話機１を用いて、ブルートゥース通信機能を備えた携帯電話機などの対向機器から送信されるデータの受信処理を、ユーザが行う操作の一例と共に説明するフローチャートである。
【００８６】
ステップＳ５１において、ユーザはサイドキー１６ｂを押圧（長押し）し、プロフィール情報の受信を行うブルートゥース受信モードを起動させる（操作１）。ステップＳ５２において、ユーザによるサイドキー１６ｂの押圧（長押し）により入力を受け付けた制御部４１は、ブルートゥース通信部４８によるブルートゥース受信モード起動処理を実行し、携帯電話機１はブルートゥース受信モードが起動中の状態となる。図１０（Ｄ）は、ブルートゥース受信モード起動時のサブディスプレイ２１の表示例である。
【００８７】
機器情報受信ステップＳ５３以降の処理は、図５で説明した機器情報受信ステップＳ１５以降の処理とほぼ同様であるため、詳しい説明は省略する。なお、リトライ判定ステップＳ５６において制御部４１によってサブディスプレイ２１に表示される判定を求める通知、および判定結果の入力処理は、図７で説明したリトライ判定ステップＳ３５で行われる処理とほぼ同様であるため、詳しい説明は省略する。
【００８８】
次に、赤外線通信機能およびブルートゥース通信機能によるデータ受信モードを同時に起動させて行う受信処理について説明する。
【００８９】
図１３は、本実施形態における携帯電話機１を用いて、赤外線通信機能およびブルートゥース通信機能の少なくとも一方を備えた携帯電話機などの対向機器から送信されるデータの受信処理を、ユーザが行う操作の一例と共に説明するフローチャートである。赤外線通信機能およびブルートゥース通信機能の両者を同時に起動させることにより、送信元である対向機器がいずれか一方のみの通信機能を備えている場合であっても、ユーザによる受信モードを選択する操作を不要とし、簡易に受信モードを起動させることができる点で有効である。また、多人数間におけるデータの送受信を行う場合においては、赤外線受信の場合、ブルートゥース受信の場合と起動操作を分けることなく、赤外線通信機能およびブルートゥース通信機能を備えた複数の対向機器に対応できる点で有効である。
【００９０】
ステップＳ６１において、ユーザはサイドキー１６ａおよび１６ｂを同時に押圧し、プロフィール情報の受信を行う赤外線およびブルートゥース受信モードを起動させる（操作１）。ステップＳ６２において、ユーザによるサイドキー１６ａおよび１６ｂの同時の押圧により入力を受け付けた制御部４１は、赤外線通信部４７およびブルートゥース通信部４８を制御し、赤外線通信部４７およびブルートゥース通信部４８は受信モードを起動する。図１０（Ｅ）は、制御部４１によってサブディスプレイ２１に表示される受信モード起動中を示す表示例である。
【００９１】
ステップＳ６３で、制御部４１は、プロフィール情報の送信元である携帯電話機などの対向機器が赤外線通信およびブルートゥース通信のどちらの通信機能を用いてプロフィール情報の送信を行うかの判定を行う。ステップＳ６３における対向機器の通信機能の判定は、対向機器が赤外線通信を用いる場合には、図９で説明した接続先確認ステップＳ４３と同様の処理により行われる。送信元である接続先の確認がとれた場合、処理は図９の受信ステップＳ４４に進む。対向機器がブルートゥース通信を用いる場合には、図１２で説明した機器情報受信ステップＳ５３と同様の処理により判定が行われる。送信元である接続先の機器情報を受信できた場合、処理は図１２の受信ステップＳ５４に進む。
【００９２】
一方、送信元である接続先の通信機能の確認が行えなかった場合、リトライ判定ステップＳ６４に進む。リトライ判定ステップＳ６４以降の処理は、図７のリトライ判定ステップＳ３５などと同様であるため詳しい説明は省略する。
【００９３】
この携帯電話機１によれば、従来受信モードを起動するために必要であった４回の操作は、図７、９、１２、１３で説明したサイドキー押圧ステップＳ３１、Ｓ４１、Ｓ５１およびＳ６１におけるサイドキーの押圧のみの１回の操作でよいため、受信モード起動の操作性を向上させることができる。このため、使用頻度が高い自己のプロフィールの送受信を行う場合においても簡易な操作で実行することができるため、ユーザストレスを軽減でき、またエルダー層にとっても煩雑な操作なく実行可能となる。
【００９４】
また、携帯電話機１を閉状態としたままでデータの送信が可能なため、メインディスプレイ１７を用いなくともサブディスプレイ２１のみで受信モード状態表示を行うことができる。この結果、消費電力の大きいメインディスプレイ１７のバックライトによる消費電力の増大を抑制することができ、携帯電話機１の省電力化を図ることができる。
【００９５】
具体的には、携帯電話機１を閉状態としてデータの受信を行うため、ユーザへの状態表示はサブディスプレイ２１のみでよく、消費電力の大きいメインディスプレイ１７を使用する必要がないため省電力化を図ることができ、その結果携帯電話機１の電池持ちを向上させることができる。
【００９６】
なお、サブディスプレイ２１が表示部として機能しバックライトが点灯するのは、図９で説明した赤外線受信モードを例に説明すると、受信モード起動ステップＳ４２における図１０（Ａ）に示す受信モード起動中の状態を表示する場合、データ受信ステップＳ４４における図１０（Ｂ）に示す受信中の状態を表示する場合、受信完了時における図１０（Ｃ）に示す受信完了の状態を表示する場合、およびリトライ判定ステップＳ４５における図８（Ｄ）に示すタイムアウトを通知する場合である。
【００９７】
よって、その他の場合は一定時間経過後にバックライトを消灯させる制御を制御部４１が行うことにより、携帯電話機１の開状態でのデータ送受信時と比較し、省電力化を図ることが可能となる。
【００９８】
従って、本実施形態における携帯電話機１は操作性の向上および省電力化を実現し、近距離無線通信を用いてデータの送受信を行う際の利用性を向上させることができる。
【００９９】
なお、本実施形態においては、本発明に係る携帯電話機を折りたたみ式の携帯電話機１に適用して説明したが、折りたたみ式に限らず、スライド式およびフリップ式などの種々の携帯電話機に適用することができる。また、スライド式の携帯電話機の第１の筐体と第２の筐体とがほぼ重なり合う状態とは、例えばスライド式携帯電話機を構成する第１および第２の筐体の内表面側がほぼ重なり合う状態をいう。さらに、フリップ（上蓋）式の携帯電話機の第１の筐体と第２の筐体とがほぼ重なり合う状態とは、例えば携帯電話機を構成する第１の筐体に対し第２の筐体としてのフリップ部が閉じられ、第１の筐体の一部を覆うように重なり合う状態をいう。
【０１００】
なお、本実施形態における携帯電話機１をサブディスプレイ２１を備えない携帯電話機に適用する場合には、送信モードの起動やデータの送信完了を通知手段としてのバイブレータや、スピーカから音声を出力することにより通知することができる。バイブレータで送受信モード状態を通知する場合には、バイブレータの振動パターンや振動時間を変化させることで、各状態を区別して通知することができる。
【０１０１】
また、本実施形態においては赤外線通信部４７およびブルートゥース通信部４８を備えた携帯電話機１について説明したが、これに限らずどちらか一方の通信部のみを備える携帯電話機や、他の近距離無線通信手段を備えた携帯電話機にも適用することができる。
【０１０２】
さらに、本実施形態においては近距離無線通信手段を用いて送信する所定のデータとして自己のプロフィール情報を送受信する例を適用して説明したが、あらかじめ送信データの設定が可能な設定手段を設けることにより、画像データや、音声データなどの他のデータの送受信を行うこともできる。
【０１０３】
さらにまた、本実施形態においては、携帯電話機１を閉状態としてデータ送受信処理を実行したが、開状態でも実行可能なように構成してもよい。この場合、開状態であってもメインディスプレイ１７のバックライトを点灯させないように制御することで、省電力化の実現が可能である。
【０１０４】
また、図８および図１０に示すデータ送信処理時におけるサブディスプレイ２１の表示例は一例であって、携帯電話機１における赤外線通信部４７が位置する箇所などに応じて、ユーザにとって見やすいように表示の向きが変更可能なように構成してもよい。
【０１０５】
さらに、本実施形態においては、サイドキー１６ａ、１６ｂの押圧の長短により制御部４１により実行される処理の割り当ての一例を説明したが、これに限らず他の割り当てを適用してもよい。また、サイドキー１６ａ、１６ｂの操作によって起動される近距離無線通信機能は、ユーザが任意に変更可能な構成としてもよい。
【０１０６】
なお、本実施形態においては、携帯電話機と携帯電話機などの対向機器間における送受信処理を説明したが、携帯電話機以外にも、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の電子機器にも適用することができる。
【０１０７】
また、本発明の実施形態において説明した一連の処理は、ソフトウェアにより実行させることもできるが、ハードウェアにより実行させることもできる。
【０１０８】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１０９】
【図１】本発明に係る携帯電話機の外観の構成図。
【図２】本発明に係る携帯電話機の他の外観の構成図。
【図３】本発明に係る携帯電話機の内部の構成を示すブロック図。
【図４】従来の携帯電話機が対向機器に対してデータの赤外線送信処理を行うフローチャート。
【図５】従来の携帯電話機が対向機器から送信されたデータのブルートゥース受信処理を行うフローチャート。
【図６】従来の携帯電話機が対向機器から送信されたデータの赤外線受信処理を行うフローチャート。
【図７】本発明に係る携帯電話機が対向機器に対してデータの赤外線送信処理を行うフローチャート。
【図８】赤外線送信処理時におけるサブディスプレイの表示例を示した図。
【図９】本発明に係る携帯電話機が対向機器から送信されたデータの赤外線受信処理を行うフローチャート。
【図１０】（Ａ）、（Ｂ）、（Ｃ）は赤外線受信処理時におけるサブディスプレイの表示例を示した図、（Ｄ）、（Ｅ）はブルートゥース受信処理時におけるサブディスプレイの表示例を示した図。
【図１１】受信完了後にメインディスプレイに表示される通知の表示例を示した図。
【図１２】本発明に係る携帯電話機が対向機器から送信されたデータのブルートゥース受信処理を行うフローチャート。
【図１３】本発明に係る携帯電話機が対向機器から送信されたデータの赤外線およびブルートゥース受信処理を行うフローチャート。
【符号の説明】
【０１１０】
１…携帯電話機、１４…操作キー、１６ａ、１６ｂ…サイドキー、１７…メインディスプレイ、２１…サブディスプレイ、２３…誤作動防止キー、４１…制御部、４７…赤外線通信部、４８…ブルートゥース通信部。
【図１】
0005217371.tif 000002
【図２】
0005217371.tif 000003
【図３】
0005217371.tif 000004
【図４】
0005217371.tif 000005
【図５】
0005217371.tif 000006
【図６】
0005217371.tif 000007
【図７】
0005217371.tif 000008
【図８】
0005217371.tif 000009
【図９】
0005217371.tif 000010
【図１０】
0005217371.tif 000011
【図１１】
0005217371.tif 000012
【図１２】
0005217371.tif 000013
【図１３】
0005217371.tif 000014